(57)【要約】【課題】タイバンド支持台を備えつつ小型化されたワイヤカバーおよびコネクタを提供する。【解決手段】ワイヤカバー３０は、カバー本体３０Ａと、ロックアーム３３と、タイバンド支持台３４とを備えている。カバー本体３０Ａは、複数本のワイヤ（不図示）をコネクタハウジング２０との間に覆ってそれら複数本のワイヤを開口１１から延出させる。ロックアーム３３は、片持ち梁形状に延び、先端部にロック部３２を有する。このロック部３２は、レバー４０をロックする。このレバー４０は、コネクタハウジング２０への相手ハウジング（不図示）の嵌合を助けるレバーである。そして、タイバンド支持台３４は、ロックアーム３３の下に設けられている。このタイバンド支持台３４は、延出する複数本のワイヤを束ねてワイヤカバー３０に固定するためのタイバンド（不図示）を支持する。【選択図】図１
2020136059.tif 000002
【特許請求の範囲】
【請求項１】
コネクタハウジングとの間に複数本のワイヤを覆って第１の向きに延出させるカバー本体と、
前記第１の向きに片持ち梁状に延び、回動操作により前記コネクタハウジングへの相手ハウジングの嵌合を助けるレバーをロックするロック部が該第１の向きの先端部に形成されたロックアームと、
前記ロックアームの先端部の下に設けられた、前記複数本のワイヤを束ねるタイバンドを支持するタイバンド支持台とを備えたことを特徴とするワイヤカバー。
【請求項２】
前記タイバンド支持台と前記ロックアームとの間に、タイバンドを挿通する挿通路が形成されていることを特徴とする請求項１に記載のワイヤカバー。
【請求項３】
前記ロックアームが、前記タイバンド支持台と対面して前記挿通路の上面を成す位置において前記第１の向きに交わる横向きに突き出た突出し部を備え、
前記カバー本体が、前記ロックアームに前記タイバンド支持台から離間させる上向きの力が作用したときに前記突出し部に係止して該ロックアームの過剰変位を防止する係止壁を備えたことを特徴とする請求項１または２に記載のワイヤカバー。
【請求項４】
コネクタハウジングと、
請求項１から３のうちのいずれか１項に記載のワイヤカバーと、
前記第１の向きへの回動操作により前記コネクタハウジングへの相手ハウジングの嵌合を助けるレバーとを備えたことを特徴とするコネクタ。
【発明の詳細な説明】
【技術分野】
【０００１】
本発明は、コネクタハウジングとの間に複数本のワイヤを覆って所定の向きに延出させるワイヤカバー、およびそのワイヤカバーを備えたコネクタに関する。
【背景技術】
【０００２】
ワイヤカバーを備えたコネクタが知られている。このタイプのコネクタの場合、多数本のワイヤに対応する多数個のコンタクトが備えられている。このため、相手コネクタとの嵌合に大きな嵌合力を必要とする。そこで、このタイプのコネクタには相手コネクタとの嵌合を補助するレバーが備えられている。そして、このタイプのコネクタは、そのレバーを回動させることにより、相手コネクタに嵌合する構造となっている。
【０００３】
このタイプのコネクタでは、レバーを、相手コネクタを嵌合から解放した解放位置に回動させた状態で、相手コネクタとの嵌合を開始する。そして、そのレバーを、解放位置から、相手コネクタを嵌合させた嵌合位置へと回動させる。すると、その回動に伴って相手コネクタが引き込まれて、コネクタが相手コネクタに嵌合する。
【０００４】
ここで、このタイプのコネクタには、嵌合位置にまで回動したレバーがその嵌合位置を維持するように、ロック部が設けられている。
【０００５】
また、このタイプのコネクタの場合、延出した多数本のワイヤをタイバンドで束ねてこのコネクタに固定しておく必要がある。このため、このタイプのコネクタには、タイバンドを支持するタイバンド支持台を設けることが要望されている。
【０００６】
例えば、特許文献１に開示されたレバー式コネクタには、ワイヤカバーの、レバーをロックするロック部が設けられ、さらにそのロック部よりもワイヤの延出の向きに突き出た、タイバンド支持台として使用可能な突出し部が設けられている。
【先行技術文献】
【特許文献】
【０００７】
【特許文献１】特開２０１８−３７２３１号公報
【発明の概要】
【発明が解決しようとする課題】
【０００８】
上掲の特許文献１に開示された、タイバンド支持台として使用可能な突出し部は、ワイヤの延出の向きに突き出ている。このため、この突出し部の存在が、ワイヤカバー、およびそのワイヤカバーを備えたレバー式コネクタの寸法を押し広げている。
【０００９】
本発明は、上記事情に鑑み、タイバンド支持台を備え、小型化されたワイヤカバーおよびコネクタを提供することを目的とする。
【課題を解決するための手段】
【００１０】
上記目的を達成する本発明のワイヤカバーは、
コネクタハウジングとの間に複数本のワイヤを覆って第１の向きに延出させるカバー本体と、
第１の向きに片持ち梁状に延び、回動操作によりコネクタハウジングへの相手ハウジングの嵌合を助けるレバーをロックするロック部が第１の向きの先端部に形成されたロックアームと、
上記ロックアームの先端部の下に設けられた、複数本のワイヤを束ねるタイバンドを支持するタイバンド支持台とを備えたことを特徴とする。
【００１１】
本発明のワイヤカバーは、タイバンド支持台が、ロックアームの先端部と上下に重なる、ロックアームの下に設けられている。これにより、本発明のワイヤカバーは、小型化を実現している。
【００１２】
ここで、本発明のワイヤカバーにおいて、タイバンド支持台とロックアームとの間に、タイバンドを挿通する挿通路が形成されていてもよい。
【００１３】
本発明のワイヤカバーの場合、タイバンド支持台の上にロックアームが存在する。このため、タイバンドを横から挿通する構造を採用することで、タイバンド支持台をロックアームから大きく離すよりも、低背化が実現する。
【００１４】
また、本発明のワイヤカバーにおいて、ロックアームが、タイバンド支持台と対面して前記挿通路の上面を成す位置において第１の向きに交わる横向きに突き出た突出し部を備え、
カバー本体が、ロックアームにタイバンド支持台から離間させる上向きの力が作用したときに突出し部に係止してロックアームの過剰変位を防止する係止壁を備えることが好ましい。
【００１５】
タイバンドを挿通する挿通路が設けられている構成の場合におけるタイバンド挿通作業中や、その他の場面において、ロックアームにタイバンド支持台から離間させる上向きの力が不用意に作用する場合がある。上記の突出し部と係止壁が設けられていると、不用意な上向きの力が作用しても、ロックアームの過剰変位が防止される。
【００１６】
また、上記目的を達成する本発明のコネクタは、
コネクタハウジングと、
本発明のいずれかの形態のワイヤカバーと、
第１の向きへの回動操作によりコネクタハウジングへの相手ハウジングの嵌合を助けるレバーとを備えたことを特徴とする。
【発明の効果】
【００１７】
以上の本発明によれば、タイバンド支持台を備えつつ小型化されたワイヤカバーおよびコネクタが実現する。
【図面の簡単な説明】
【００１８】
【図１】本発明の一実施形態のワイヤカバーとそのワイヤカバーに支持されたレバーの斜視図である。
【図２】ワイヤカバーおよびレバーの、図１に示す矢印Ａ−Ａに沿う断面を示した側面図である。
【図３】ワイヤカバー単体の斜視図である。
【図４】図３に示す矢印Ｂ−Ｂに沿う断面を示した斜視図である。
【図５】図３に示す矢印Ｃ−Ｃに沿う断面を示した背面図である。
【発明を実施するための形態】
【００１９】
以下、本発明の実施の形態について説明する。
【００２０】
図１は、本発明の一実施形態のワイヤカバーとそのワイヤカバーに支持されたレバーの斜視図である。この図１には、一点鎖線で、コネクタハウジングの概略形状についても示されている。本実施形態の特徴は、ワイヤカバーにあり、レバーにも関係するが、コネクタハウジングとは直接には無関係である。ただし、ここでは、コネクタ全体の把握のために、この図１を参照して、このコネクタの概要を説明する。
【００２１】
このコネクタ１０は、コネクタハウジング２０、ワイヤカバー３０、およびレバー４０を備えている。
【００２２】
図１に示すレバー４０は、この図１に示すコネクタ１０に相手コネクタ（不図示）が嵌合したときの位置である嵌合位置にある。この嵌合位置は、レバー４０を矢印Ｒで示す向きに回動させた位置である。
【００２３】
ワイヤカバー３０は、下方（コネクタハウジング２０側）に開いて上方に膨らんだドーム形状を有している。そして、このワイヤカバー３０は、コネクタハウジング２０に支持された多数個のコンタクト（不図示）にそれぞれ接続された多数本のワイヤ（不図示）を覆っている。このワイヤカバー３０とコネクタハウジング２０との間には、開口１１が形成されている。この開口１１からは、多数本のワイヤが矢印Ｘの向きに延出している。この矢印Ｘで示す向きは、本発明にいう第１の向きの一例に相当する。
【００２４】
レバー４０は、ワイヤカバー３０を幅方向に跨ぐように、略逆Ｕ字形状に延びている。そして、このレバー４０の両端部には孔４１が設けられている。一方、ワイヤカバー３０の両側面にはレバー４０の両端部の孔４１にそれぞれ入り込む突起３１が設けられている。そして、このレバー４０は、その突起３１を回動中心として、図１に示す嵌合位置と、矢印Ｒとは逆向きに回動させた解放位置との間で回動する。
【００２５】
このレバー４０には、孔４１の周りにピニオンギア４２（図２参照）が形成されている。そして、このピニオンギア４２は、板形状のスライダ（不図示）に設けられているラック（不図示）に噛み合っている。このスライダは、コネクタハウジング２０の両側のスロット２１内に１枚ずつ挿し込まれている。このスライダには、相手コネクタに設けられているカムフォロワ（不図示）が入り込むカム溝（不図示）が形成されている。
【００２６】
相手コネクタとの嵌合にあたっては、先ず、レバー４０を解放位置にまで回動させる。そして、相手コネクタのカムフォロワをスライダに設けられているカム溝の入口部分にあてがうように、相手コネクタを嵌合の初期位置に配置する。そうしておいて、レバー４０を、その解放位置から図１に示す嵌合位置にまで回動させる。すると、その回動の間、レバー４０のピニオンギアの回動によりラックが形成されているスライダがスライドする。そして、このスライドにより、相手コネクタのカムフォロアがスライダのカム溝の奥に引き込まれる。この引き込みにより、このコネクタ１０に相手コネクタが嵌合する。
【００２７】
ワイヤカバー３０には、図１に示す嵌合位置にまで回動してきたレバー４０がその嵌合位置を保つように、以下に説明するロック部が設けられている。
【００２８】
図２は、ワイヤカバーおよびレバーの、図１に示す矢印Ａ−Ａに沿う断面を示した側面図である。
【００２９】
また、図３は、ワイヤカバー単体の斜視図である。
【００３０】
また、図４は、図３に示す矢印Ｂ−Ｂに沿う断面を示した斜視図である。
【００３１】
さらに、図５は、図３に示す矢印Ｃ−Ｃに沿う断面を示した背面図である。
【００３２】
図２ないし図４に示すように、ワイヤカバー３０の、矢印Ｘの向きの端部には、ロック部３２が形成されている。ワイヤカバー３０には、カバー本体３０Ａから矢印Ｘの向きに片持ち梁状に延びるロックアーム３３が設けられている。そして、ロック部３２は、そのロックアーム３３の、矢印Ｘの向きに延びた先端部に形成されている。図２に示すように、このロック部３２には、矢印Ｒの向きへの回動操作により嵌合位置に回動してきたレバー４０の係止爪４３が係止する。そして、このロック部３２は、レバー４０がその嵌合位置に留まるようにレバー４０をロックする。上述した通り、このレバー４０は、解放位置から矢印Ｒの向きへの回動操作により、コネクタハウジング２０（図１参照）への相手ハウジング（不図示）の嵌合を助けるレバーである。
【００３３】
また、このワイヤカバー３０の、ロックアーム３３の先端部と上下に重なる位置（ロックアーム３３の先端部の下）に、タイバンド支持台３４が設けられている。図５に示すように、このタイバンド支持台３４は、円弧形状の台である。そして、そのタイバンド支持台３４の上（タイバンド支持台３４とロック部３２との間）には、タイバンド（不図示）を挿通する挿通路３５が形成されている。タイバンドをこの挿通路３５に通し、その挿通路３５に通したタイバンドで、開口１１から延出する多数本のワイヤ（不図示）を束ねる。こうすることにより、多数本のワイヤが束ねられ、かつタイバンドがタイバンド支持台３４に支持されて、ワイヤカバー３０に固定される。
【００３４】
また、ロックアーム３３には、タイバンド支持台３４と対面して挿通路３５の上面を成す位置において、矢印Ｘの向きに交わる矢印Ｙ−Ｙで示す左右横向きに突き出た一対の突出し部３６が形成されている。一方、カバー本体３０Ａには、突出し部３６の上部に、係止壁３７が設けられていて、その係止壁３７の下に突出し部３６が潜り込んでいる。
【００３５】
ロック部３２は、片持ち梁形状に延びるロックアーム３３の先端部に設けられている。そして、そのロック部３２の下にはタイバンドを挿通させる挿通孔３５が形成されている。このため、その挿通孔３５にタイバンドを挿通させるときに、ロック部３２に上向きの力が加わることがある。ロック部３２に上向きの力が加わるとロックアーム３３が上向きに撓もうとする。仮に、ロックアーム３３が上向きに大きく撓むと、ロックアーム３３の弾性限界を超え、ワイヤカバー３０の正常な機能が失われるおそれがある。本実施形態の場合、突出し部３６と係止壁３７が設けられている。このため、ロック部３２にタイバンド支持台３４から離間させる上向きの力が作用すると、係止壁３７に突出し部３６が突き当たり、ロック部３２の過剰変位が防止され、ロックアーム３３が上向きに大きく撓むことが防止される。したがって、挿通孔３５へのタイバンドの挿通作業によるロックアーム３３の不良発生が抑えられるとともに、その挿通作業に余計な神経を使う必要がなく作業性が向上する。
【００３６】
このように、本実施形態によれば、タイバンド支持台３４をロックアーム３３の下に設けることによって小型化を実現している。
【符号の説明】
【００３７】
１０  コネクタ
２０  コネクタハウジング
２１  スリット
３０  ワイヤカバー
３０Ａ  カバー本体
３１  突起
３２  ロック部
３３  ロックアーム
３４  タイバンド支持台
３５  挿通路
３６  突出し部
３７  係止壁
４０  レバー
４１  孔
４２  ピニオンギア
４３  係止爪
【図１】
2020136059.tif 000003
【図２】
2020136059.tif 000004
【図３】
2020136059.tif 000005
【図４】
2020136059.tif 000006
【図５】
2020136059.tif 000007